(57)【要約】【課題】容易にメンテナンスを行うことが可能な配管方法及びそれに用いられるパイプ継手の提供を目的とする。【解決手段】  本発明の配管方法では、アパート９０の１階から給水管１１を２階の住戸９１の床下９１Ａまで引き込んで、その床下９１Ａにおいて複数の水栓金具６０の下方位置を順次経由させると共に、水栓金具６０の下方に配置された部分を床上に引き上げかつ折り返して再び床下９１Ａに戻し、その床上の折り返し部分をパイプ継手２０で分岐させて水栓金具６０を接続する。【選択図】図１
2014043712.tif 000002
【特許請求の範囲】
【請求項１】
２階建て以上の集合住宅の給水管の配管方法であって、
前記給水管を、前記集合住宅の２階以上の住戸の床下まで引き込んで、その床下において複数の前記水栓金具の下方位置を順次経由させると共に、前記水栓金具の下方に配置された部分を、床上に引き出しかつ折り返して再び床下に戻し、その床上の折り返し部分を分岐させて前記水栓金具に接続することを特徴とする配管方法。
【請求項２】
前記給水管のうちキッチンの前記水栓金具及び洗面所の前記水栓金具よりも下流側に、トイレの前記水栓金具を接続することを特徴とする請求項１に記載の配管方法。
【請求項３】
前記給水管を分岐させて給湯器に接続し、
前記給湯器から延びた給湯管を、前記２階以上の住戸の床下まで引き込んで、その床下において複数の前記水栓金具の下方位置を順次経由させると共に、前記水栓金具の下方に配置された部分を、床上に引き出した後折り返して再び床下に戻し、その床上に引き出された部分を分岐させて前記水栓金具に接続することを特徴とする請求項１又は２に記載の配管方法。
【請求項４】
前記給湯管に接続される最も上流側の前記水栓金具を、浴室の前記水栓金具とすることを特徴とする請求項３に記載の配管方法。
【請求項５】
前記２階以上の住戸の床板のうち前記水栓金具の下方に配置される部分にパイプ挿通孔を貫通形成しておくと共に、
前記給水管の折り返し部分と前記水栓金具とを接続するパイプ継手を、前記水栓金具に接続される導入管から１対の分岐管が２股に分かれて下方に延びた構造としておき、
前記折り返し部分の上流側と下流側の１対の前記給水管を束ねた状態で前記パイプ挿通孔に貫通させて、前記１対の分岐管に接続することを特徴とする請求項１乃至４のうち何れか１の請求項に記載の配管方法。
【請求項６】
請求項５に記載の配管方法に用いられる前記パイプ継手であって、
前記１対の分岐管の外側に嵌着され、前記分岐管との間に前記給水管を挟んで前記分岐管に接続する１対のキャップを有し、
前記１対の分岐管の長さを異ならせて、前記１対のキャップを、前記分岐管の軸方向でずらすと共に、その軸方向から見たときに重なるように配置したことを特徴とするパイプ継手。
【請求項７】
前記導入管と前記１対の分岐管とは、互いに平行な直線状をなし、
前記導入管を軸方向からみたときに、前記導入管の内側部分と各前記分岐管の内側部分とが重なることを特徴とする請求項６に記載のパイプ継手。
【発明の詳細な説明】
【技術分野】
【０００１】
本発明は、２階建て以上の集合住宅の給水管の配管方法及びそれに用いられるパイプ継手に関する。
【背景技術】
【０００２】
従来、この種の配管方法として、給水管を、住戸の床下でヘッダーにて分岐し、分岐した各給水管を、その住戸の複数の水栓金具に接続するものが知られている（例えば、特許文献１参照）。
【先行技術文献】
【特許文献】
【０００３】
【特許文献１】特許第２８６８９９１号公報（段落［００１５］、図１）
【発明の概要】
【発明が解決しようとする課題】
【０００４】
しかしながら、上述の配管方法にて施工された給水管は、床下に分岐部を有するので、２階以上の住戸の給水管をメンテナンスする際には、階下の住戸の天井をめくって行わなければならない。このため、階下の住人の許可を取ったり、メンテナンスの日時をその住人の都合に合わせる必要があり、メンテナンスに手間がかかるという問題があった。
【０００５】
本発明は、容易にメンテナンスを行うことが可能な配管方法及びそれに用いられるパイプ継手の提供を目的とする。
【課題を解決するための手段】
【０００６】
上記目的を達成するためになされた請求項１の発明に係る配管方法は、２階建て以上の集合住宅の給水管の配管方法であって、給水管を、集合住宅の２階以上の住戸の床下まで引き込んで、その床下において複数の水栓金具の下方位置を順次経由させると共に、水栓金具の下方に配置された部分を、床上に引き出しかつ折り返して再び床下に戻し、その床上の折り返し部分を分岐させて水栓金具に接続するところに特徴を有する。
【０００７】
請求項２の発明は、請求項１に記載の配管方法において、給水管には、キッチンの水栓金具及び洗面所の水栓金具よりも下流側に、トイレの水栓金具が接続されるところに特徴を有する。
【０００８】
請求項３の発明は、請求項１又は２に記載の配管方法において、給水管を分岐させて給湯器に接続し、給湯器から延びた給湯管を、２階以上の住戸の床下に引き込んで、その床下において複数の水栓金具の下方位置を順次経由させると共に、水栓金具の下方に配置された部分を、床上に引き出しかつ折り返して再び床下に戻し、その床上の折り返し部分を分岐させて水栓金具に接続するところに特徴を有する。
【０００９】
請求項４の発明は、請求項３に記載の配管方法において、給湯管に接続される最も上流側の水栓金具を、浴室の水栓金具とするところに特徴を有する。
【００１０】
請求項５の発明は、請求項１乃至４のうち何れか１の請求項に記載の配管方法において、２階以上の住戸の床板のうち水栓金具の下方に配置される部分にパイプ挿通孔を貫通形成しておくと共に、給水管の折り返し部分と水栓金具とを接続するパイプ継手を、水栓金具に接続される導入管から１対の分岐管が２股に分かれて下方に延びた構造としておき、折り返し部分の上流側と下流側の１対の給水管を束ねた状態でパイプ挿通孔に貫通させて、１対の分岐管に接続するところに特徴を有する。
【００１１】
請求項６の発明に係るパイプ継手は、請求項５に記載の配管方法に用いられるパイプ継手であって、１対の分岐管の外側に嵌着され、分岐管との間に給水管を挟んで分岐管に接続する１対のキャップを有し、１対の分岐管の長さを異ならせて、１対のキャップを、分岐管の軸方向でずらすと共に、その軸方向から見たときに重なるように配置したところに特徴を有する。
【００１２】
請求項７の発明は、請求項６に記載のパイプ継手において、導入管と１対の分岐管とは、互いに平行な直線状をなし、導入管を軸方向からみたときに、前記導入管の内側部分と各分岐管の内側部分とが重なるところに特徴を有する。
【発明の効果】
【００１３】
［請求項１の発明］
請求項１の発明では、給水管を、集合住宅の２階住戸の床下まで引き込んで、その床下において複数の水栓金具の下方位置を順次経由させると共に、水栓金具の下方に配置された部分を、床上に引き上げかつ折り返して再び床下に戻し、その床上の折り返し部分を分岐させて水栓金具に接続するので、従来の配管方法のように、２階以上の住戸の床下で給水管を分岐させることなく、給水管を複数の水栓金具に接続することが可能になる。即ち、本発明では、給水管の継手を２階以上の住戸の床下に設けなくて済む。これにより、給水管をメンテナンスするときに、階下の住戸の天井をめくる必要がなくなり、給水管のメンテナンスを容易に行うことが可能になる。
【００１４】
［請求項２の発明］
請求項２の発明によれば、２階以上の住戸が長期に留守や空き家となる場合であっても、トイレを使用することで給水管内に滞留した水を新しい水に入れ替えることができ、衛生面に優れる。
【００１５】
［請求項３の発明］
請求項３の発明によれば、給湯管についても、２階以上の住戸の床下に継手を設ける必要がなくなり、メンテナンスを容易に行うことが可能になる。
【００１６】
［請求項４の発明］
請求項４の発明によれば、浴室で湯を使用するときの湯待ち時間を短くすることができる。
【００１７】
［請求項５の発明］
請求項５の発明では、２階以上の住戸の床板のうち水栓金具の下方に形成されたパイプ挿通孔に、折り返し部分の上流側と下流側の１対の給水管を束ねた状態で貫通させて、パイプ継手の１対の分岐管に連結するので、水栓金具の下方のスペースに給水管をコンパクトに収容することができる。
【００１８】
［請求項６の発明］
請求項６のパイプ継手では、分岐管の軸方向から見たときに、１対の分岐管に嵌着されて分岐管に給水管を接続する１対のキャップが重なるので、水栓金具の下方のスペースに給水管をコンパクトに収容することができる。また、パイプ挿通孔の孔径を小さくすることができる。
【００１９】
［請求項７の発明］
請求項７の発明によれば、直線状の孔を穿孔して、導入管と１対の分岐管の内側部分を形成するだけで、導入管と１対の分岐管とを連通させることができるので、パイプ継手を容易に製造することが可能になる。
【図面の簡単な説明】
【００２０】
【図１】本発明の一実施形態に係る給水管及び給湯管の配管方法の概念図
【図２】パイプ及びパイプ継手の斜視図
【図３】パイプ継手の側面図
【図４】パイプ継手の平面図
【図５】パイプ継手の側断面図
【図６】パイプと接続した状態のパイプ継手の拡大側断面図
【図７】（Ａ）穿孔前のパイプ継手の側断面図、（Ｂ）導入管を穿孔したときのパイプ継手の側断面図、（Ｃ）一方の枝管を穿孔したときのパイプ継手の側断面図
【図８】給湯管の下流側端部のパイプ継手の斜視図
【図９】変形例に係るパイプ継手の斜視図
【図１０】（Ａ）参考例に係るパイプ継手の側面図、（Ｂ）その平面図
【図１１】（Ａ）参考例に係るパイプ継手の側面図、（Ｂ）その平面図
【図１２】（Ａ）参考例に係るパイプ継手の側面図、（Ｂ）その平面図
【発明を実施するための形態】
【００２１】
以下、本発明の一実施形態を図１〜図８に基づいて説明する。図１には、本発明を２階建てのアパート９０（本発明の「集合住宅」に相当する。）の配管方法に適用した例が示されている。同図において、符号１１は、アパート９０の２階の住戸９１に水を送給する給水管１１であって、アパート９０の住戸ごとに屋外に設置された水道メーター７０に接続されている。また、同図において符号１２は、２階の住戸９１に湯を送給する給湯管１２であって、アパート９０の住戸ごとに設置された給湯器７２に接続されている。ここで、給湯器７２は、アパート９０の１階に設置されていてもよいし、２階に設置されていてもよいが、２階に設置されている方が住戸９１までの給湯管１２の長さが小さくなって湯が冷めにくくなるので好ましい、
【００２２】
詳細には、給水管１１は、アパート９０の１階の床下９０Ａで分岐継手７１が接続され、分岐継手７１によって分岐された給水取出管１１Ａが給湯器７２に接続されている。そして、給水取出管１１Ａによって送給された水が給湯器７２で湯となり、その湯が給湯管１２によって２階の住戸９１に送給されるようになっている。
【００２３】
図１に示すように、給水管１１は、分岐継手７１より下流側で１階の床下９０Ａから２階へと延び、２階の住戸９１の床下９１Ａに取り回されている。２階の住戸９１には、浴室９２、キッチン９３、洗面所９４、洗濯機置場９５、トイレ９６の複数箇所に水栓金具６０が設けられていて、給水管１１は、それら複数の水栓金具６０の下方位置を経由するように２階の住戸９１の床下９１Ａを這っている。なお、本実施形態では、給水管１１は、浴室９２、キッチン９３、洗面所９４、洗濯機置場９５、トイレ９６の順番で、それらに設けられた水栓金具６０の下方を通過している。
【００２４】
給湯管１２は、給湯器７２から２階の住戸９１の床下９１Ａに取り回され、給水管１１と同様に、複数の水栓金具６０の下方位置を経由するように２階の住戸９１の床下９１Ａを這っている。なお、給湯管１２は、浴室９２、キッチン９３、洗面所９４の順番で、それらに設けられた水栓金具６０の下方を通過し、湯を使用する必要のない洗濯機置場９５とトイレ９６の水栓金具６０の下方には、取り回されていない。
【００２５】
また、図１に示すように、給水管１１及び給湯管１２は、水栓金具６０の下方で、床上に引き上げられかつ折り返して再び床下９１Ａに戻り、床上に引き上げられた部分で分岐して水栓金具６０に接続している。そして、給水管１１及び給湯管１２は、２階の住戸９１の床下９１Ａでは、継手を有さず、床上で、後に詳述する水栓金具６０に接続するためのパイプ継手２０（図２参照）を有した構成になっている。
【００２６】
なお、給水管１１及び給湯管１２は、最も下流側の水栓金具６０と接続する部分が末端部になっていて、給水管１１の末端部は、トイレ９６の水栓金具６０に接続され、給湯管１２の末端部は、洗面所９４の水栓金具６０に接続されている。また、浴室９２、キッチン９３及び洗面所９４の水栓金具６０は、給水管１１と給湯管１２の両方が接続された混合水栓になっている。
【００２７】
また、給水管１１及び給湯管１２は、共に、最も上流側の浴室９２の水栓金具６０に接続される部分の管径が、下流側の水栓金具に接続される部分の管径よりも大きくなっていて、浴室９２の水栓金具６０にて水又は湯を使用した場合の給水管１１及び給湯管１２の圧力損失を抑えるようになっている。
【００２８】
次に、給水管１１と水栓金具６０の接続部分の具体的な構成について説明する。図２に示すように、給水管１１は、複数のパイプ１５がパイプ継手２０によって接続された構造になっている。具体的には、２階の住戸９１の床板９１Ｂのうち水栓金具６０の下方位置には、複数のパイプ挿通孔９１Ｃが貫通形成され、それら複数のパイプ挿通孔９１Ｃを順に結ぶように複数のパイプ１５が取り回されて、パイプ１５の両端部がパイプ挿通孔９１Ｃを通って床上に突出している。そして、パイプ挿通孔９１Ｃから突出した１対のパイプ１５，１５同士がパイプ継手２０にて接続されている。なお、パイプ１５は、パイプ挿通孔９１Ｃを閉塞する円形蓋１６を貫通するようになっている。
【００２９】
図３に示すように、パイプ継手２０は、導入管２１から枝管２２，２２が二股に分岐した構造の継手本体２３と、１対の枝管２２，２２の先端部に嵌着された１対のパイプ接続スリーブ３０，３０とを備えている。導入管２１のうち枝管２２と反対側の端部には、螺子部２１Ｎが形成され、この螺子部２１Ｎが、水栓金具６０の図示しない螺子孔に螺合可能となっている。
【００３０】
図５に示すように、パイプ接続スリーブ３０は、枝管２２の先端部が内側に挿通された状態でカシメられることで、枝管２２と接続している。また、枝管２２の先端部の外周面には、Ｏリング溝２２Ｍが形成され、このＯリング溝２２Ｍに装着されたＯリング２４によって、枝管２２の外周面とパイプ接続スリーブ３０の内周面との間がシールされている。なお、本実施形態では、１対の枝管２２，２２と１対のパイプ接続スリーブ３０，３０とにより、本発明の「１対の分岐管」が構成されている。
【００３１】
１対のパイプ接続スリーブ３０，３０の外側には、キャップ４０，４０が備えられている。キャップ４０の基端部の内周面には、中心側に突出し、軸方向の中間部にフランジ受容凹部４２Ａが陥没形成された抜止片４２が設けられている。また、パイプ接続スリーブ３０のうち枝管２２より若干先端寄り部分には、側方に張り出したフランジ部３１が形成されている。そして、抜止片４２のフランジ受容凹部４２Ａにフランジ部３１が受容されることで、キャップ４０がパイプ接続スリーブ３０に対して軸方向に抜け止めされている。
【００３２】
図５に示すように、導入管２１及び１対の枝管２２，２２は、互いに平行な直線状をなし、枝管２２，２２の軸方向の長さは、互いに異なっている。なお、１対の枝管２２，２２のうち軸方向の長さが長い方の枝管２２に嵌着したパイプ接続スリーブ３０は、軸方向の長さが短い方の枝管２２に嵌着したパイプ接続スリーブ３０よりも、軸方向の長さが長くなっていて、パイプ接続スリーブ３０，３０に装着されたキャップ４０，４０は、枝管２２の軸方向で互いに異なる位置に配置されている。
【００３３】
また、図４及び図５に示すように、１対の枝管２２，２２は、継手本体２３を導入管２１の軸方向から見たときに各枝管２２の内側部分が導入管２１の内側部分と重なる程度に、接近している。そして、枝管２２，２２に連結したパイプ接続スリーブ３０，３０に装着されたキャップ４０，４０が、幅方向で互いに重なるようになっている。これにより、パイプ継手２０の幅方向の大きさのコンパクト化が図られると共に、パイプ挿入孔９１Ｃ（図２参照）の大きさを小さくすることが可能になる。
【００３４】
ところで、継手本体２３は、以下のようにして製造される。即ち、図７（Ａ）から図７（Ｂ）の変化に示すように、メイン軸部２６の先端両側部から長さの異なるサブ軸部２７，２７がメイン軸部２６と平行に延びた形状の複合軸体２５を、鍛造又は鋳造によって製造しておき、メイン軸部２６の中心部に直線孔２６Ａを穿孔することで導入管２１を形成する。次いで、図７（Ｃ）に示すように、サブ軸部２７の中心部に直線孔２７Ａを穿孔することで枝管２２を形成し、枝管２２の内側部分（直線孔２７Ａ）を導入管２１の内側部分（直線孔２６Ａ）に連通させる。このように、継手本体２３は、導入管２１と１対の枝管２２，２２とが互いに平行な直線状をなし、枝管２２の内側部分が導入管２１の内側部分と重なった構造になっているので、複合軸体２５に直線状の孔を穿孔するだけで継手本体２３を容易に製造することが可能になる。
【００３５】
図６に示すように、パイプ１５は、キャップ４０とパイプ接続スリーブ３０との間の隙間に挿入されて、パイプ接続スリーブ３０に接続している。以下、パイプ１５とパイプ接続スリーブ３０の接続について説明する。
【００３６】
図６に示すように、パイプ接続スリーブ３０のうちフランジ部３１より先端寄り位置には、先端側（図６の下側）に向かうに従って円錐状に拡径した傾斜筒部３３が形成され、傾斜筒部３３にリング３４が装着されている。このリング３４の内周面は、傾斜筒部３３に対応した円錐状になっている。そして、パイプ接続スリーブ３０とキャップ４０との隙間に、パイプ１５が挿通されると、パイプ１５が、キャップ４０の内周面と、リング３４との外周面に挟着される。ここで、リング３４の先端部の外周面は、奥側（図６の上側）に向かう従って外径が大きくなるように傾斜し、パイプ１５が挿入されるときに、パイプ１５を奥側へスムーズに案内するようになっている。また、リング３４の外周面には、断面三角形状の環状突起３４Ｔが軸方向に複数並べて設けられ、この環状突起３４Ｔの先端部がパイプ１５の内周面に圧接するようになっている。
【００３７】
ところで、図６に示す状態から、パイプ１５をパイプ接続スリーブ３０の先端側（図６の下側）に引き抜こうとすると、パイプ１５との摩擦によりリング３４がパイプ接続スリーブ３０の先端側に移動し、傾斜筒部３３と当接する。ここで、リング３４の内周面と、リング３４の内側に位置する傾斜筒部３３の外周面は、先端に向かうに従って拡径しているので、リング３４は、先端側に移動するに従って拡径され、リング３４の環状突起３４Ｔがパイプ１５を圧接する力が増加する。これにより、パイプ接続スリーブ３０とキャップ４０との間に挿入されたパイプ１５が抜け止めされ、パイプ１５がパイプ継手２０に連結される。
【００３８】
なお、パイプ接続スリーブ３０の先端部の外周面には、Ｏリング溝３０Ｍが形成され、このＯリング溝３０Ｍに装着されたＯリング３７によって、パイプ１５の内周面とパイプ接続スリーブ３０の外周面との間がシールされている。
【００３９】
図３に示すように、キャップ４０の軸方向における両端部には、周方向の複数位置で軸方向に延びた切欠部４３が設けられている。そして、枝管２２側（図３の上側）の切欠部４３によってキャップ４０の基端部が径方向で弾性変形可能となり、パイプ接続スリーブ３０へのキャップ４０の装着が容易となる。他方、枝管２２と反対側（図３の下側）の切欠部４３によってキャップ４０の先端部が径方向で弾性変形可能となり、キャップ４０とパイプ接続スリーブ３０との隙間へのパイプ１５の挿入（図６参照）が容易となる。
【００４０】
また、図３及び図５に示すように、キャップ４０の軸方向における中間部には、周方向の複数位置に視認窓４１が形成され、傾斜筒部３３及びリング３４は、視認窓４１より僅かに先端側に配置されている。これにより、パイプ１５を挿入するときに、パイプ１５の先端がリング３４よりもキャップ４０の奥側（図５の上側）に配置されたか否かを視認窓４１を通じて確認することが可能となり、リング３４をパイプ１５の内側に確実に配置することが可能となる。
【００４１】
２階の住戸９１における給水管１１の構成に関する説明は以上である。次に、２階の住戸９１における給湯管１２の構成について説明する。図２に示すように、給湯管１２は、給水管１１とは別のパイプ挿通孔９１Ｃに挿通され、給水管１１と同様に、複数のパイプ１５と、複数のパイプ継手２０とを備えている。また、給湯管１２の下流側の端部には、洗面所９４の水栓金具６０に接続されるパイプ継手２０Ｖが備えられている。
【００４２】
図８に示すように、パイプ継手２０Ｖは、継手本体２３Ｖが直線状の導入管２１Ｖのみで構成され、図示はしないが、導入管２１Ｖにパイプ接続スリーブ３０が嵌着された構造になっている。パイプ継手２０Ｖのその他の構成については、上述のパイプ継手２０と同様になっているので説明を省略する。
【００４３】
次に、給水管１１及び給湯管１２の配管方法について説明する。なお、給湯管１２の配管方法は、給水管１１の配管方法と共通する部分が多いので、以下では、まず、給水管１１の配管方法について説明し、給湯管１２の配管方法については、給水管１１の配管方法と異なる部分についてのみ説明する。
【００４４】
給水管１１を２階の住戸９１の複数の水栓金具６０に接続するには、まず、２階の住戸９１の床板９１Ｂのうち、各水栓金具６０の下方に位置する部分にパイプ挿通孔９１Ｃ（図２参照）を貫通形成しておく。
【００４５】
次いで、アパート９０の１階から取り回した給水管１１を、浴室９２の水栓金具６０の下方に形成されたパイプ挿通孔９１Ｃに通して、浴室９２の水栓金具６０に接続されたパイプ継手２０のパイプ接続スリーブ３０に接続する。
【００４６】
そして、浴室９２とキッチン９３の床板９１Ｂに設けられたパイプ挿通孔９１Ｃ同士、キッチン９３と洗面所９４の床板９１Ｂに設けられたパイプ挿通孔９１Ｃ同士、洗面所９４と洗濯機置場９５の床板９１Ｂに設けられたパイプ挿通孔９１Ｃ同士及び洗濯機置場９５とトイレ９６の床板９１Ｂに設けられたパイプ挿通孔９１Ｃ同士に、Ｕ字状のパイプ１５の両端部を床下９１Ａから床上に挿通し、１つのパイプ挿通孔９１Ｃから床上に突出した１対のパイプ１５，１５を、円形蓋１６に挿通し、水栓金具６０に接続されたパイプ継手２０のパイプ接続スリーブ３０に接続する（図２及び図６参照）。
【００４７】
なお、最も下流側のトイレ９６の水栓金具６０の下方に位置するパイプ挿通孔９１Ｃには、１本のパイプ１５しか挿通されず、そのパイプ１５の先端部には、トイレ９６の水栓金具６０が直接接続される。
【００４８】
以上が、給水管１１の配管方法についての説明である。給湯管１２の配管方法については、給湯管１２を、浴室９２、キッチン９３及び洗面所９４の水栓金具６０の下方位置のみを通過させ、洗濯機置場９５とトイレ９６の水栓金具６０の下方位置を通過させない点が給水管１１の場合と大きく異なっている。なお、給湯管１２は、給水管１１とは別のパイプ挿通孔９１Ｃに挿通され、洗面所９４の水栓金具６０の下方に位置するパイプ挿通孔９１Ｃから突出したパイプ１５には、パイプ継手２０Ｖ（図８参照）に連結される。給湯管１２の配管方法のその他の構成については、給水管１１の配管方法と同様になっている。
【００４９】
次に、本実施形態の配管方法の作用効果について説明する。本実施形態の配管方法では、給水管１１を、２階の住戸９１の床下９１Ａに引き込んで、床下９１Ａにおいて複数の水栓金具６０の下方位置を経由させ、水栓金具６０の下方に配置された部分を床上に引き上げると共に折り返して戻し、その床上の折り返し部分を分岐させて水栓金具６０に接続するので、従来の配管方法のように、給水管１１を、２階の住戸９１の床下９１Ａで分岐させることなく、複数の水栓金具６０に接続することが可能になる。即ち、本実施形態の配管方法では、給水管１２の継手を床下９１Ａに設けなくて済む。これにより、給水管１１をメンテナンスするときに、階下の住戸の天井をめくる必要がなくなり、メンテナンスを容易に行うことが可能になる。また、給湯管１２についても、２階の住戸９１の床下９１Ａで分岐させることなく、複数の水栓金具６０に接続することが可能になり、メンテナンスが容易となる。そして、１階の床下で給水管１１を分岐させて給湯器７２に接続するようにしても、この分岐部分周辺のメンテナンスを行う場合に、１階の住戸内に入る必要がなくなる。
【００５０】
また、給水管１１には、キッチン９３の水栓金具６０及び洗面所９４の水栓金具６０よりも下流側にトイレ９６の水栓金具６０が接続されるので、２階の住戸９１が長期に留守をする場合であっても、トイレ９６を使用することで給水管１１内に滞留した水を新しい水に入れ替えることができ、衛生面に優れる。さらに、給湯管１２には、浴室９２の水栓金具６０が最も上流側に接続されるので、浴室９２の水栓金具６０で湯を使用するときの湯待ち時間を短くすることができる。
【００５１】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００５２】
（１）上記実施形態では、本発明の配管方法を、２階建てのアパート９０において１階から２階の住戸９１に水を送給する給水管１１の配管方法に適用した例を示したが、３階以上の集合住宅において１階から２階以上の住戸に水を送給する給水管の配管方法に適用してもよい。
【００５３】
（２）図９に示すパイプ継手２０Ｗのように、継手本体２３Ｗの導入管２１Ｗが枝管２２，２２に対して直交した構成としてもよい。このような構成としても、キャップ４０，４０の一部が幅方向で互いに重なるようにして、パイプ継手２０Ｗの幅方向の大きさのコンパクト化が図られ、ひいては、パイプ挿入孔９１Ｃ（図２参照）の大きさを小さくすることが可能になる。
【００５４】
（３）給湯管１２の下流側の端部と水栓金具６０とを接続するパイプ継手として、パイプ継手２０の一方の枝管２２を閉塞したものを用いてもよい。
【００５５】
（４）上記実施形態では、パイプ接続スリーブ３０の先端部にキャップ４０が装着され、パイプ１５が、パイプ接続スリーブ３０とキャップ４０との間に挟着される構成であったが、キャップ４０を用いずに、パイプ接続スリーブ３０の先端部の内側にパイプ１５を挿入した状態で、パイプ接続スリーブ３０の先端部をカシメることで、パイプ１５が接続される構成であってもよい。
【００５６】
［付記］
上記実施形態のパイプ継手２０には、下記の技術的特徴［１］、［２］（以下、単に、特徴［１］、［２］という。）が具現化されている。また、特徴［１］については、上記した変形例（２）のパイプ継手２０Ｗにも具現化されている。
【００５７】
［１］導入管から複数の分岐管が直線状に延びた構造をなすパイプ継手であって、それら複数の分岐管の外側に嵌着され、分岐管との間に給水管を挟んで分岐管に接続する複数のキャップを有し、複数の分岐管の長さを互いに異ならせて、複数のキャップを、分岐管の軸方向でずらすと共に、その軸方向から見たときに重なるように配置したことを特徴とするパイプ継手。
【００５８】
［２］導入管から複数の分岐管が直線状に延びた構造をなすパイプ継手であって、導入管と複数の分岐管とは、互いに平行な直線状をなし、導入管を軸方向からみたときに、導入管の内側部分と各分岐管の内側部分とが重なることを特徴とするパイプ継手。
【００５９】
特徴［１］によれば、パイプ継手及びパイプ継手に接続されるパイプ（上記実施形態の給水管１１及び給湯管１２だけでなく、例えば、その他の液体や気体を送給するものを含むものとする。）を分岐管の径方向にコンパクトにすることができる。これにより、例えば、ダクトの中などの狭いスペースにも配管することが可能になる。
【００６０】
また、特徴［２］によれば、直線状の孔を穿孔して、導入管と複数の分岐管の内側部分を形成するだけで、導入管と複数の分岐管を連通させることができるので、パイプ継手を容易に製造することが可能になる。
【００６１】
図１０及び図１１には、特徴［１］を備えたパイプ継手の参考例が示されている。図１０（Ａ）に示すパイプ継手１２０は、導入管１２１の一端部から複数の（例えば、３つ）の分岐管１２２が延びた構造をなしている。導入管１２１及び分岐管１２２は、直線状をなし、互いに平行になっている。また、複数の分岐管１２２は、軸方向の長さが互いに異なっていて、各分岐管１２２の先端部、即ち、導入管１２１と反対側の端部には、上記実施形態で説明したキャップ４０と同様のキャップ１４０が嵌着されている。
【００６２】
図１０（Ｂ）に示すように、分岐管１２２の周方向で隣接するキャップ１４０同士は、分岐管１２２を軸方向からみたときに径方向で重なるようになっている。このパイプ継手１２０によれば、分岐管１２２の径方向におけるパイプ継手１２０の大きさを小さくすることができる。また、各分岐管１２２の内側部分は、導入管１２１の内側部分と重なっている。即ち、本参考例のパイプ継手１２０は、上記特徴［２］も有した構造になっている。
【００６３】
なお、分岐管１２２は、上記実施形態のように、導入管１２１から分岐した枝管（図５の符号２２を参照）と、その枝管に連結したパイプ接続スリーブ（図５の符号３０を参照）とで構成されてもよい。
【００６４】
次に、図１１に示す参考例について説明する。図１１に示すパイプ継手１２０Ｖでは、導入管１２１Ｖの一端部（図１１（Ａ）の下側の端部）から側方に複数（例えば、４つ）の分岐管１２２Ｖが延びている。本参考例では、図１１（Ｂ）に示すように、互いに長さが異なる１対の分岐管１２２Ｖ，１２２Ｖが、導入管１２１Ｖの径方向の一方側に延び、互いに長さが異なる別の１対の分岐管１２２Ｖ，１２２Ｖが上述の１対の分岐管１２２Ｖ，１２２Ｖと反対側に延びている。各分岐管１２２Ｖの先端部には、上記実施形態で説明したキャップ４０と同様のキャップ１４０Ｖが嵌着されている。
【００６５】
図１１（Ｂ）に示すように、１対の分岐管１２２Ｖに嵌着した１対のキャップ１４０Ｖ，１４０Ｖは、分岐管１２２Ｖを軸方向からみたときに径方向で重なるようになっている。このパイプ継手１２０Ｖによれば、分岐管１２２Ｖの径方向におけるパイプ継手１２０Ｖの大きさを小さくすることができ、パイプ継手１２０Ｖの周辺で、１対の分岐管１２２Ｖに接続される１対のパイプ１１５（図１１（Ｂ）参照）を分岐管１２２Ｖの径方向にコンパクトに収容することが可能になる。
【００６６】
図１２には、上記特徴［２］を備えたパイプ継手の参考例が示されている。図１２（Ａ）に示すように、パイプ継手１２０Ｗは、導入管１２１Ｗの一端部から複数（例えば、３つ）の分岐管１２２Ｗが延びた構造をなしている。導入管１２１Ｗ及び分岐管１２２Ｗは、直線状をなし、互いに平行になっている。なお、複数の分岐管１２２Ｗの軸方向の長さは、互いに異なっていてもよいし、図１２（Ａ）に示すように全て同じであってもよい。図１２（Ｂ）に示すように、パイプ継手１２０Ｗは、導入管１２１Ｗの軸方向から見たときに、導入管１２１Ｗの内側部分と、複数の分岐管１２２Ｗの内側部分とが重なった構造になっている。
【符号の説明】
【００６７】
１１    給水管
１２    給湯管
１５    パイプ
２０，２０Ｖ，２０Ｗ    パイプ継手
２１    導入管
２２    枝管
３０    パイプ接続スリーブ
４０    キャップ
６０    水栓金具
７２    給湯器
９０    アパート（集合住宅）
９１    ２階の住戸
９１Ａ    床下
９１Ｂ    床板
９１Ｃ    パイプ挿通孔
９２    浴室
９３    キッチン
９４    洗面所
９６    トイレ
【図１】
2014043712.tif 000003
【図２】
2014043712.tif 000004
【図３】
2014043712.tif 000005
【図４】
2014043712.tif 000006
【図５】
2014043712.tif 000007
【図６】
2014043712.tif 000008
【図７】
2014043712.tif 000009
【図８】
2014043712.tif 000010
【図９】
2014043712.tif 000011
【図１０】
2014043712.tif 000012
【図１１】
2014043712.tif 000013
【図１２】
2014043712.tif 000014